(57)【要約】　　　（修正有）【課題】美容師、ヘアサロン技術アドバイザー等が、顧客に似合うヘアカラーの色を判定するための方法と、判定用色剤に関し、顧客の肌の色に基づいてヘアカラー等の化粧料の色を客観的に選定できる判定方法と判定用色剤を提供する。【解決手段】酸化チタン、ベンガラ、黄酸化鉄、及び黒酸化鉄を含有し、且つベンガラ及び黄酸化鉄の含有量の和と、黒酸化鉄の含有量との比が４：１〜２０：１であるイエローベース判定用色剤と、酸化チタン、ベンガラ、黄酸化鉄、黒酸化鉄を含有するとともに必要に応じて青色色素を含有し、且つベンガラ及び黄酸化鉄の含有量の和と、黒酸化鉄及び青色色素の含有量の和との比が１：１〜４：１であるブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定することを特徴とする。【選択図】　　図１
2004053573.tif 000002
【特許請求の範囲】
【請求項１】
酸化チタン、ベンガラ、黄酸化鉄、及び黒酸化鉄を含有し、且つベンガラ及び黄酸化鉄の含有量の和と、黒酸化鉄の含有量との比が４：１〜２０：１であるイエローベース判定用色剤と、酸化チタン、ベンガラ、黄酸化鉄、黒酸化鉄を含有するとともに必要に応じて青色系色素を含有し、且つベンガラ及び黄酸化鉄の含有量の和と、黒酸化鉄及び青色系色素の含有量の和との比が１：１〜４：１であるブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定することを特徴とする化粧料の色の判定方法。
【請求項２】
酸化チタン２．５〜１４．０重量％、ベンガラ０．１〜１．０重量％、黄酸化鉄０．４〜３．０重量％、黒酸化鉄０．０５〜０．８０重量％を含有するイエローベース判定用色剤と、酸化チタン２．５〜１４．０重量％、ベンガラ０．１〜１．０重量％、黄酸化鉄０．３〜３．０重量％、黒酸化鉄０．１〜１．０重量％、青色系色素０〜０．２重量％を含有するブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定することを特徴とする化粧料の色の判定方法。
【請求項３】
明度の異なる３種類のイエローベース判定用色剤と、明度の異なる３種類のブルーベース判定用色剤とを準備し、前記６種類のイエローベース判定用色剤及びブルーベース判定用色剤を使用者の肌に塗着し、前記６種類のうちのいずれの判定用色剤が使用者の肌に適合しているかを選別する請求項１又は２記載の化粧料の色の判定方法。
【請求項４】
腕の内側に判定用色剤を塗着する請求項１乃至３のいずれかに記載の化粧料の色の判定方法。
【請求項５】
請求項１乃至４記載の化粧料の色の判定方法に用いる判定用色剤であって、酸化チタン、ベンガラ、黄酸化鉄、及び黒酸化鉄を含有し、且つベンガラ及び黄酸化鉄の含有量の和と、黒酸化鉄の含有量との比が４：１〜２０：１であることを特徴とする化粧料の色の判定方法に用いる判定用色剤。
【請求項６】
請求項１乃至４記載の化粧料の色の判定方法に用いる判定用色剤であって、酸化チタン、ベンガラ、黄酸化鉄、黒酸化鉄を含有するとともに必要に応じて青色系色素を含有し、且つベンガラ及び黄酸化鉄の含有量の和と、黒酸化鉄及び青色系色素の含有量の和との比が１：１〜４：１であることを特徴とする化粧料の色の判定方法に用いる判定用色剤。
【発明の詳細な説明】
【０００１】
【発明の属する技術分野】
本発明は化粧料の色の判定方法とその判定方法に用いる判定用色剤、特にヘアサロンや美容室等で、美容師、ヘアサロンの技術アドバイザー等が、顧客である利用者に似合うヘアカラーの色を判定するための方法と、その方法に用いる判定用色剤に関する。
【０００２】
【従来の技術】
一般にヘアサロンや美容室等で、顧客のヘアカラーの色を美容師等が選別する場合、顧客の好み、要望等を聴取しながら選別されている。
【０００３】
また、美容師やヘアサロンの技術アドバイザー等が選別する場合であっても、その経験に基づいて顧客に似合う色を判定した上で選別を行っている。
【０００４】
【発明が解決しようとする課題】
しかし、顧客自身が選別する場合、好みや要望が先行し、自分に似合うヘアカラーを選別するのが必ずしもできていないのが現状である。
また、顧客自身が選別せず、美容師やヘアサロンの技術アドバイザー等が選別する場合であっても、経験に基づいて似合う色を判定した上で選別しているので、客観性に欠けるという問題がある。
【０００５】
その一方で、顧客は、単に自分の要望どおりのヘアカラーの選別を望むだけでなく、「自分の個性を引き出してほしい」という要望を美容室やヘアサロンに対して求める場合があり、美容室やヘアサロンに対する顧客のニーズも多様化しているのが現状である。
【０００６】
本発明は、このような問題点を解決するためになされたもので、美容師やヘアサロンの技術アドバイザー等が、顧客の肌の色に基づいてヘアカラー等の化粧料の色を客観的に選定できるようなヘアカラー等の化粧料の色の判定方法と、その方法に用いる判定用色剤を提供することを課題とする。
【０００７】
【課題を解決するための手段】
本発明は、このような課題を解決するために、化粧料の色の判定方法とその判定方法に用いる判定用色剤としてなされたもので、化粧料の色の判定方法の特徴は、酸化チタン、ベンガラ、黄酸化鉄、及び黒酸化鉄を含有し、且つベンガラ及び黄酸化鉄の含有量の和と、黒酸化鉄の含有量との比が４：１〜２０：１であるイエローベース判定用色剤と、酸化チタン、ベンガラ、黄酸化鉄、黒酸化鉄を含有するとともに必要に応じて青色系色素を含有し、且つベンガラ及び黄酸化鉄の含有量の和と、黒酸化鉄及び青色系色素の含有量の和との比が１：１〜４：１であるブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定することである。
また、他の化粧料の色の判定方法の特徴は、酸化チタン２．５〜１４．０重量％、ベンガラ０．１〜１．０重量％、黄酸化鉄０．４〜３．０重量％、黒酸化鉄０．０５〜０．８０重量％を含有するイエローベース判定用色剤と、酸化チタン２．５〜１４．０重量％、ベンガラ０．１〜１．０重量％、黄酸化鉄０．３〜３．０重量％、黒酸化鉄０．１〜１．０重量％、青色系色素０〜０．２重量％を含有するブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定することである。
【０００８】
この場合、イエローベース色剤とブルーベース色剤は、明度の異なるものをそれぞれ３種類ずつ準備し、計６種類のイエローベース色剤及びブルーベース色剤を使用者の肌に塗着し、いずれの色剤が使用者の肌に適合しているかを判定するのが望ましく、これによって使用者にイエローベース色剤及びブルーベース色剤のいずれが適合しているかをより正確に判定することができる。
【０００９】
イエローベース判定用色剤及びブルーベース判定用色剤は、使用者に対する適合性をより明確に判定する上で、使用者の腕の内側に塗着するのが望ましい。
【００１０】
さらに、化粧料の色の判定方法に用いる一の判定用色剤としての特徴は、
酸化チタン、ベンガラ、黄酸化鉄、及び黒酸化鉄を含有し、且つベンガラ及び黄酸化鉄の含有量の和と、黒酸化鉄の含有量との比を４：１〜２０：１としたことであり、他の判定用色剤としての特徴は、酸化チタン、ベンガラ、黄酸化鉄、黒酸化鉄を含有するとともに必要に応じて青色系色素を含有し、且つベンガラ及び黄酸化鉄の含有量の和と、黒酸化鉄及び青色系色素の含有量の和との比が１：１〜４：１としたことである。
【００１１】
【発明の実施の形態】
以下、本発明の実施形態について説明する。
【００１２】
先ず、次のようなイエローベース判定用色剤及びブルーベース判定用色剤を３種類ずつ準備する。尚、各イエローベース判定用色剤及びブルーベース判定用色剤に含有される酸化チタン、ベンガラ、黄酸化鉄、黒酸化鉄は、すべて金属セッケン処理がなされている。
【００１３】
（イエローベース判定用色剤１）
配合成分　　　　　　　　　　　　配合量（重量％）
酸化チタン　　　　　　　　　　　６．７％
ベンガラ　　　　　　　　　　　　０．２％
黄酸化鉄　　　　　　　　　　　　０．９％
黒酸化鉄　　　　　　　　　　　　０．１５％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１４】
（イエローベース判定用色剤２）
配合成分　　　　　　　　　　　　配合量（重量％）
酸化チタン　　　　　　　　　　　６．６％
ベンガラ　　　　　　　　　　　　０．２５％
黄酸化鉄　　　　　　　　　　　　０．９％
黒酸化鉄　　　　　　　　　　　　０．１７％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１５】
（イエローベース判定用色剤３）
配合成分　　　　　　　　　　　　配合量（重量％）
酸化チタン　　　　　　　　　　　６．３％
ベンガラ　　　　　　　　　　　　０．３％
黄酸化鉄　　　　　　　　　　　　１．１％
黒酸化鉄　　　　　　　　　　　　０．２４％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１６】
（ブルーベース判定用色剤１）
配合成分　　　　　　　　　　　　配合量（重量％）
酸化チタン　　　　　　　　　　　６．８％
ベンガラ　　　　　　　　　　　　０．２５％
黄酸化鉄　　　　　　　　　　　　０．７％
黒酸化鉄　　　　　　　　　　　　０．２５％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１７】
（ブルーベース判定用色剤２）
配合成分　　　　　　　　　　　　配合量（重量％）
酸化チタン　　　　　　　　　　　６．７％
ベンガラ　　　　　　　　　　　　０．３％
黄酸化鉄　　　　　　　　　　　　０．７％
黒酸化鉄　　　　　　　　　　　　０．２７％
青色系色素（タルク粉体で
希釈した１０％青色４０４号）　　　０．０２％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１８】
（ブルーベース判定用色剤３）
配合成分　　　　　　　　　　　　配合量（重量％）
酸化チタン　　　　　　　　　　　６．０％
ベンガラ　　　　　　　　　　　　０．３５％
黄酸化鉄　　　　　　　　　　　　１．１％
黒酸化鉄　　　　　　　　　　　　０．４％
ブチレングリコール　　　　　　　８．０％
グリセリン　　　　　　　　　　１０．０％
スクワラン　　　　　　　　　　１５．０％
セタノール　　　　　　　　　　　３．０％
ワセリン　　　　　　　　　　　　２．０％
精製水　　　　　　　　　　　　　残量
【００１９】
上記のような計６種類の判定用色剤を調製し、使用者の両腕に塗布する。より詳細に説明すると、図１に示すように、右腕の内側にブルーベース判定用色剤１，２，３を上側から順に塗布し（Ｂ１，Ｂ２，Ｂ３）、左腕の内側にイエローベース判定用色剤１，２，３を上側から順に塗布する（Ｙ１，Ｙ２，Ｙ３）。このとき、ブルーベース判定用色剤３とイエローベース判定用色剤３は、手首から約５ｃｍ離れた位置に塗布する。
【００２０】
また、各判定用色剤は、約２ｃｍ程度の径となるように、且つ均一な厚さになるように塗布する。そして、塗布後に乾燥させ、１０分以内に判定する。
【００２１】
上記３種類のイエローベース判定用色剤１，２，３とブルーベース判定用色剤１，２，３とは、ともに肌色の色剤である点で共通するものであるが、配合成分の含有量の比が相違している。
【００２２】
具体的には、イエローベース判定用色剤では、ベンガラ及び黄酸化鉄の含有量の和と、黒酸化鉄の含有量との比が４：１〜２０：１、好ましくは５：１〜１８：１、さらに好ましくは５：１〜１６：１であり、ブルーベース判定用色剤では、ベンガラ及び黄酸化鉄の含有量の和と、黒酸化鉄及び青色系色素の含有量の和との比が１：１〜４：１、好ましくは２：１〜４：１、さらに好ましくは３：１〜４：１である。
【００２３】
ちなみに、上記実施形態におけるイエローベース判定用色剤１，２，３の、ベンガラ及び黄酸化鉄の含有量の和と、黒酸化鉄の含有量との比、すなわち、（ベンガラ量＋黄酸化鉄量）／黒酸化鉄量は、次のとおりとなる。
【００２４】
イエローベース判定用色剤１　（０．２＋０．９）／０．１５≒７．３３
イエローベース判定用色剤２　（０．２５＋０．９）／０．１７≒６．７６
イエローベース判定用色剤３　（０．３＋１．１）／０．２４≒５．８３
【００２５】
また、上記実施形態におけるブルーベース判定用色剤１，２，３の、ベンガラ及び黄酸化鉄の含有量の和と、黒酸化鉄及び青色系色素の含有量の和との比、すなわち、（ベンガラ量＋黄酸化鉄量）／（黒酸化鉄量＋青色系色素量）は、次のとおりとなる。
【００２６】
ブルーベース判定用色剤１　（０．２５＋０．７）／０．２５＝３．８０
ブルーベース判定用色剤２　（０．３＋０．７）／（０．２７＋０．０２）≒３．４５
ブルーベース判定用色剤３　（０．３５＋１．１）／０．４≒３．６３
【００２７】
一方、皮膚の肌色を決定しているのは、表皮の色である黄色だけでなく、静脈の青色、動脈の赤色が影響しているが、その中でも静脈の青色の影響は判定の基準とし易く、静脈の青の影響が強い使用者の肌はブルーベースと判定し、弱い使用者の肌は、イエローベースと判定する。
【００２８】
そして、上記のようなイエローベース判定用色剤１，２，３とブルーベース判定用色剤１，２，３を塗布することによって、いずれの判定用色剤がより肌に適合しているか（肌になじんでいるか）を判定する。
【００２９】
具体的に肌に塗布された状態で色が変色し或いはくすんで見えると、その色は適合していない（肌になじんでいない）と判定し、変色やくすみの程度の最も少ない判定用色剤が、前記６種類のうちのいずれであるかを選別し、それがイエローベース判定用色剤とブルーベース判定用色剤とのいずれであるかによって、肌がイエローベースであるかブルーベースであるかを判定する。
【００３０】
イエローベース判定用色剤とブルーベース判定用色剤がそれぞれ３種類ずつ準備されているのは、日焼け等により肌の黒さ，白さが異なる場合があるため、明るさの異なるものをそれぞれ３種類準備することによって肌に適合しているか（肌になじんでいるか）をより正確に判定することができるようにするためである。
【００３１】
この場合、肌の色は判定時の光源の種類によって異なった色に見える場合があるが、自然光（太陽光）に近い光源の下で判定するのが望ましい。
そして、美容師やヘアサロンの技術者は、イエローベース又はブルーベースに属するヘアカラーの中から使用者（顧客）に似合うものを選別し、提示する。
【００３２】
ここで、髪は顔の周りを覆っているので、髪の色が顔の肌色の見え方を左右する。すなわち、ヘアカラーの色によって、肌のくすみが目立って顔色が悪く見えることがある。
【００３３】
しかし、本実施形態では、上述のように３種類ずつ準備されたイエローベース判定用色剤とブルーベース判定用色剤とを使用者の肌に塗布し、塗布された判定用色剤の変色やくすみの程度によって、イエローベース判定用色剤とブルーベース判定用色剤のいずれがより肌に適合しているか（肌になじんでいるか）を判定するため、顔の肌のくすみが目立って顔色が悪く見えることがないように、使用者（顧客）に似合うヘアカラーの色を客観的に判定することができるのである。
【００３４】
尚、上記実施形態では、イエローベース判定用色剤とブルーベース判定用色剤とを３種類ずつ準備したため、使用者の肌にいずれの判定用色剤が適合しているかをより正確に判定することができるという好ましい効果が得られたが、それぞれの判定用色剤を３種類ずつ準備することは本発明に必須の条件でない。
【００３５】
たとえばイエローベース判定用色剤とブルーベース判定用色剤とを１種類ずつ準備して判定することも可能であり、また２種類ずつ準備して判定することも可能である。さらに４種類以上準備することも可能である。
【００３６】
また、イエローベース判定用色剤とブルーベース判定用色剤との各成分の配合量も上記実施形態に限定されるものではない。
【００３７】
要は、イエローベース判定用色剤には、酸化チタン２．５〜１４．０重量％、ベンガラ０．１〜１．０重量％、黄酸化鉄０．４〜３．０重量％、黒酸化鉄０．０５〜０．８０重量％が含有されているか、若しくは、ベンガラ及び黄酸化鉄の含有量の和と、黒酸化鉄の含有量との比が４：１〜２０：１であるように、酸化チタン、ベンガラ、黄酸化鉄、及び黒酸化鉄がそれぞれ含有されていればよい。
【００３８】
また、ブルーベース判定用色剤には、酸化チタン２．５〜１４．０重量％、ベンガラ０．１〜１．０重量％、黄酸化鉄０．３〜３．０重量％、黒酸化鉄０．１〜１．０重量％、青色系色素０〜０．２重量％が含有されているか、若しくはベンガラ及び黄酸化鉄の含有量の和と、黒酸化鉄及び青色系色素の含有量の和との比が１：１〜４：１であるように、酸化チタン、ベンガラ、黄酸化鉄、黒酸化鉄、及び青色系色素がそれぞれ含有されていればよいのである。
尚、青色系色素としては、上記実施形態のようなタルク粉体で希釈した１０％青色４０４号に限らず、たとえばグンジョウやコンジョウを使用することも可能である。
【００３９】
イエローベース判定用色剤の各配合成分のより好ましい配合比は５：１〜１８：１、さらに好ましい配合比は５：１〜１６：１である。
【００４０】
また、ブルーベース判定用色剤の各配合成分のより好ましい配合比は２：１〜４：１、さらに好ましい配合比は３：１〜４：１である。
【００４１】
さらに、上記実施形態では、酸化チタン、ベンガラ、黄酸化鉄、黒酸化鉄に金属セッケン処理を施したが、シリコン処理、アミノ酸処理、レシチン処理、ポリエチレン処理等の親油性処理を行うことも可能である。
【００４２】
さらに、上記実施形態では、色剤の使用者の腕に塗布することによって判定を行ったが、色剤を塗布する部位は該実施形態の腕に限定されるものではない。
【００４３】
さらに、各判定用色剤は、肌への塗布及び判定を容易にする観点からは上記実施例のようにクリーム製剤として調製することが望ましいが、クリーム製剤とすることは本発明に必須の条件ではない。
【００４４】
従って、各判定用色剤に含有されている基剤の成分や含有量も上記各実施例に限定されるものではない。
【００４５】
尚、本発明は、上述のようにヘアカラーの色の判定を行うことを主眼とするものではあるが、ヘアカラー以外の化粧料、たとえば口紅、ファンデーション、アイシャドウ、まゆずみ等の色の判定に本発明を適用することも可能である。
【００４６】
【発明の効果】
以上のように、本発明は、酸化チタン、ベンガラ、黄酸化鉄、及び黒酸化鉄を含有し、且つベンガラ及び黄酸化鉄の含有量の和と、黒酸化鉄の含有量との比が４：１〜２０：１であるイエローベース判定用色剤、或いは酸化チタン２．５〜１４．０重量％、ベンガラ０．１〜１．０重量％、黄酸化鉄０．４〜３．０重量％、黒酸化鉄０．０５〜０．８０重量％を含有するイエローベース判定用色剤と、酸化チタン、ベンガラ、黄酸化鉄、黒酸化鉄を含有するとともに必要に応じて青色系色素を含有し、且つベンガラ及び黄酸化鉄の含有量の和と、黒酸化鉄及び青色系色素の含有量の和との比が１：１〜４：１であるブルーベース判定用色剤、或いは酸化チタン２．５〜１４．０重量％、ベンガラ０．１〜１．０重量％、黄酸化鉄０．３〜３．０重量％、黒酸化鉄０．１〜１．０重量％、青色系色素０〜０．２重量％を含有するブルーベース判定用色剤とを使用者の肌に塗着し、イエローベース判定用色剤又はブルーベース判定用色剤のいずれの色剤が使用者の肌に適合しているかを選別した上で、その使用者に似合う化粧料の色を判定する方法であるため、上記イエローベース色剤とブルーベース色剤とを使用者の肌に塗布し、塗布された色剤の変色やくすみの程度によって、イエローベース色剤とブルーベース色剤のいずれがより肌に適合しているか（肌になじんでいるか）を判定することができ、その結果、顔の肌のくすみが目立って顔色が悪く見えることがないように、美容師やヘアサロンの技術者は、使用者（顧客）に似合うヘアカラーの色を客観的に判定することができるという効果がある。
【００４７】
また、明度の異なる３種類のイエローベース色剤と、明度の異なる３種類のブルーベース色剤とを準備し、計６種類のイエローベース色剤及びブルーベース色剤を使用者の肌に塗着し、いずれの色剤が使用者の肌に適合しているかを判定する場合には、使用者の日焼け等により肌の黒さ，白さが異なる場合でも、肌に適合しているか（肌になじんでいるか）をより正確に判定することができるという効果がある。
【００４８】
さらに、上記イエローベース色剤及びブルーベース色剤を塗布する部位が腕である場合には、判定を行いやすく、また色剤の拭き取り等の後処理も容易に行えるという効果がある。
【図面の簡単な説明】
【図１】色剤を塗布して判定を行う状態を示す概略平面図。
【符号の説明】
Ｙ１…イエローベース色剤１　　Ｙ２…イエローベース色剤２
Ｙ３…イエローベース色剤３　　Ｂ１…ブルーベース色剤１
Ｂ２…ブルーベース色剤２　　　Ｂ３…ブルーベース色剤３
【図１】
2004053573.tif 000003